(57)【要約】【課題】  人孔内での安全な作業を実施でき、落下事故が起きた場合には衝撃が少なく、また人孔内で作業者が意識を失い、あるいは重傷を負って動けなくなった場合に、迅速に人孔内より救出可能な安全ベストを提供することを目的とする。【解決手段】    布地をもってベスト状に形成されてなるベスト本体１と、該ベスト本体１の胴回りに水平に固定される横ベルト２と、前部より肩部を介して背部に回り込んで横ベルト２に固定される左右の縦ベルト３と、該縦ベルト３の両方の肩部分から延設される支持ベルト４と、を備え、該ベスト本体１の内側で、かつ袖口に隣接して、柔軟かつ強度のある広がり面を保持する緩衝帯５を胴方向にほぼ全周にわたって設けてなる。【選択図】  図１
2008069477.tif 000002
【特許請求の範囲】
【請求項１】
首部及び袖口部の開口部を有し、下方に開口され、布地をもってベスト状に形成されてなるベスト本体と；前記ベスト本体の胴回りにし又は複数にわたって水平に固定される所定幅の横ベルトと；前記横ベルトの前部に固定接続され、両方の肩部を介して前記横ベルトの背部に回り込んで固定される所定幅の縦ベルトと；前記縦ベルトの両方の肩部分に一端を固定され、所定長さを有する所定幅の支持ベルトと；を備え、
前記ベスト本体の内側で、かつ袖口に隣接して、柔軟かつ強度のある広がり面を保持する緩衝帯を胴方向にほぼ全周にわたって設けてなる、
ことを特徴とする安全ベスト。
【請求項２】
支持ベルトの他端は相互に接続され連結部を介して吊上げロープに接続可能な請求項１に記載の安全ベスト。
【請求項３】
支持ベルトの他端が相互に接続されて形成される三角形の空隙の高さは３０〜６０ｃｍである請求項２に記載の安全ベスト。
【発明の詳細な説明】
【技術分野】
【０００１】
この発明は人孔（マンホール）等内での作業における作業者が着用する安全ベストに関し、更に詳しくは、人孔等の深い穴などの中で作業する際に着用し作業中の安全に期するとともに、人孔内及び又は人孔底部の被救出者に対し該人孔より救出する際に使用される安全ベストに関する。
【背景技術】
【０００２】
従来、図５に示すように、人孔Ｑ内で作業をする場合、作業者Ｍは安全ベルトＢを腰に装着し、ロープＲの一端を該安全ベルトＢに固着するとともに、該ロープＲの他端を人孔Ｑ内に設けられた足掛けＴにフックなどによって固定して作業を行っている。
このような安全ベルトＢによれば、作業中に作業者Ｍが足掛けＴより足を滑らせた場合、前記ロープＲは一時的には作業者Ｍの落下を防止するが、このとき落下防止の衝撃で作業者Ｍは多大な損傷（たとえば内臓破裂）を生じる恐れがある。
また、下水道管渠Ｐ内で作業を行う場合、大水の発生あるいは有害性ガスの発生など不意の事故によって作業者Ｍが意識を失うか、あるいは重症を負って自力で移動できなくなる恐れがある。
このような場合、作業者Ｍを救出する場合、救助者は、人孔Ｑ内に進入して、ロープＲのフックを足掛けＴより外し、作業者Ｍを持ち上げて救出する必要がある。しかしながら、遭難した作業者Ｍを狭くかつ深い人孔Ｑより引き上げるのは相当な困難を伴い、人孔Ｑ内に進入した救助者が有害性ガス、出水などによって二次遭難に会う恐れもある。
【発明の開示】
【発明が解決しようとする課題】
【０００３】
本発明は上記実情に鑑みてなされたものであり、人孔内での安全な作業を実施でき、落下事故が起きた場合には衝撃が少なく、また人孔内で作業者が意識を失い、あるいは重傷を負って動けなくなった場合に、迅速に人孔内より救出可能な安全ベストを提供することを目的とする。
【課題を解決するための手段】
【０００４】
本発明の安全ベストは上記目的を達成させるため、以下の構成を採る。
すなわち、請求項１に記載のとおり、首部及び袖口部の開口部を有し、下方に開口され、布地をもってベスト状に形成されてなるベスト本体と；前記ベスト本体の胴回りにし又は複数にわたって水平に固定される所定幅の横ベルトと；前記横ベルトの前部に固定接続され、両方の肩部を介して前記横ベルトの背部に回り込んで固定される所定幅の縦ベルトと；前記縦ベルトの両方の肩部分に一端を固定され、所定長さを有する所定幅の支持ベルトと；を備え、
前記ベスト本体の内側で、かつ袖口に隣接して、柔軟かつ強度のある広がり面を保持する緩衝帯を胴方向にほぼ全周にわたって設けてなることを特徴とする。  上記において、横ベルト、縦ベルト及び支持ベルトの採る「所定幅」は荷重の均等化をなすに十分な幅を有するとの意である。
上記構成において、
1)  ベスト本体は前開きであること、
2)  該前開き部においてファスナーが装着されること、
3)  1)又は2)において、横ベルトに脱着具及び又は締付け調整具が装着されてなること、
4)  支持ベルトの他端は相互に接続され連結部を介して吊上げロープに接続可能であること、
5)  支持ベルトの他端が相互に接続されて形成される三角形の空隙の高さは３０〜６０ｃｍであること、
6)  緩衝帯の幅は２０ｃｍ程度であること、
7)  袖口の直径は２０〜３５ｃｍであること、
は適宜採りうる選択的事項である。
【０００５】
（作用）
作業者は本安全ベストを着用し、またその支持ベルトの上端を吊上げロープに連結し、吊上げロープからの張力を受けつつ人孔内で作業する。
吊上げロープからの張力は支持ベルトを介して縦ベルト及び横ベルトに伝わり、作業者の荷重を均等に受け、作業者への締付け感は小さい。更に、緩衝帯によって荷重は更に分散される。支持ベルトから縦ベルトへの張力の伝達は緩衝帯の袖口部への締込みを惹起させ、作業者の腕部の抜出し効果を与える。
作業者が足掛けより足を踏み外したとき、該支持ベルトに接続される吊上げロープは、その高さに対応した長さに繰り出され固定されているため、衝撃は少ない。またこのとき、該支持ベルトは２本の縦ベルトの肩部分より伸長しているため、２点で衝撃を受けることになり、従来の１点で衝撃を受ける場合よりも格段に衝撃が緩和される。本安全ベストはその緩衝帯によって衝撃を更に緩和する。  更に、作業者が動けない場合には、人孔外の作業補助者が該支持ベルトに接続した吊上げロープを吊り上げることにより、作業者を迅速に人孔外に引き上げうる。このとき緩衝帯は胴回りに設けられているため、安全ベストを着用した作業者を支持ベルトにより引っ張り上げる場合、該胴回りに設けられた緩衝帯が作業者の腋の下に当接することになるため、前記引っ張りによって安全ベストが作業者より抜け落ちることはない。
【発明の効果】
【０００６】
本発明の安全ベストによれば、その支持ベルトは吊上げロープに連結されて使用されるものであり、該吊上げロープはその高さに対応した長さに繰り出され固定されるので、作業者の作業の安全は確保される。
作業者が何らかの原因で落下状態となったとき、支持ベルトに接続される吊上げロープはその高さに対応した長さに繰り出され固定されているため、衝撃は少ない。また、該支持ベルトは２本の縦ベルトの肩部分より伸長しているため、２点で衝撃を受けることになり、従来の１点で衝撃を受ける場合より格段に小さくなるという利点がある。更に、本安全ベストは緩衝帯が設けてあるため、該緩衝帯によって衝撃を更に緩和する。
更に、作業者が動けない場合には、人孔外の作業補助者が該支持ベルトに接続した吊上げロープを吊り上げることにより、作業者を迅速に人孔外に引き上げることが可能である。このとき緩衝帯は胴回りに設けられているため、安全ベストを着用した作業者を支持ベルトにより引っ張り上げる場合、該胴回りに設けられた緩衝帯が作業者の腋の下に当接することになるため、前記引っ張りによって安全ベストが作業者より抜け落ちる必要がないという利点がある。
【発明を実施するための最良の形態】
【０００７】
本発明の安全ベストの実施の形態を図面に基づいて説明する。
図１及び図２はこの安全ベストＶの全体構成を示す。図３は更にその内部の構成、図４はその使用態様を示す。
図１〜図３に示されるように、この安全ベストＶは、布地をもってベスト状に形成されてなるベスト本体１と、該ベスト本体１の胴回りに上下に水平に固定される２本の横ベルト２（上部横ベルト３Ａ、下部横ベルト３Ｂ）と、該横ベルト２の前部に接続され、両方の肩部を介して該横ベルト２の背部に回り込んで固定される２本（左右）の縦ベルト３（右縦ベルト２Ａ、左縦ベルト２Ｂ）と、該縦ベルト３の両方の肩部分から延設される２本の支持ベルト４とを含むとともに、更には、該ベスト本体１の内側の胴方向にほぼ全周にわたって配され広がり面を有する緩衝帯５及び吊上げロープＲに連結される連結部６を含む。
【０００８】
以下、各部の構成につき詳述する。
ベスト本体１（図１〜図３参照）
ベスト本体１は、布地をもってベスト（チョッキ）状に形成され、かつ前開き可能となっており、それぞれの前身項１ａ，１ｂはファスナー（図示せず）などによって、開閉可能になっている。
該ベスト本体１はベスト態様として、大きめの首部１０及び袖口部１１が形成され、着脱し易くなされる。
該ベスト本体１の布地として、メッシュ、防水布等が使用される。
【０００９】
横ベルト２（図１、図２参照）
横ベルト２は、上部横ベルト２Ａと下部横ベルト２Ｂとからなり、ベスト本体１の胴部分を捲回するように、上下に平行に固定される。横ベルト２は所定の幅及び強度を有する。更に、該横ベルト２の素材は強度の大きい布地もしくは合成樹脂材が使用される。
該横ベルト２Ａ，２Ｂはそれぞれ脱着具（いわゆるバックル）１３（１３Ａ，１３Ｂ）を正面に備えており、接続・解離可能になっている。更に、横ベルト２Ａ，２Ｂにはベルトの長さを調整するための締具（長さ調整環）１４（１４Ａ，１４Ｂ）が設けられている。それぞれの横ベルト２Ａ，２Ｂは、２本の縦ベルト３Ａ，３Ｂに接続している。
【００１０】
縦ベルト３（図１、図２参照）
縦ベルト３は、右縦ベルト３Ａと左縦ベルト３Ｂとからなり、それぞれ横ベルト２の固定前部に接続され、両方の肩部を介して該横ベルト２の背部に回り込んで固定される。縦ベルト３は横ベルト２と同様、所定の幅及び強度を有する。更に、該縦ベルト３の素材は強度の大きい布地もしくは合成樹脂材が使用される。
【００１１】
支持ベルト４（図１、図２参照）
支持ベルト４は、左右の２本４Ａ，４Ｂよりなり、各縦ベルト３の肩部分に一端が接続されており、他端は相互に接続固定され、該他端にフックなどによって吊上げロープＲに接続される連結部６を有する。あるいは１本よりなり、両端が肩部分に固定され中央で連結部６に固定把持されう態様も採りうる。この場合、当該中央部で小さな輪を形成し、該輪を連結部６としてもよい。該支持ベルト４は横ベルト２及び縦ベルト３と同様、所定の幅及び強度を有する。更に、該支持ベルト４の素材は強度の大きい布地もしくは合成樹脂材が使用される。
該支持ベルト４Ａ，４Ｂは、三角形状の空間部Ａを形成するが、作業者の首を締め込まないように適宜の寸法に定められる。
【００１２】
緩衝帯５（図１〜図３参照）
緩衝帯５は、所定の広がり面を保持し、ベスト本体１に固定され、該ベスト本体１の内側の胴方向にほぼ全周にわたって配される。該緩衝帯５のベスト本体１に対する固定は全面、あるいは適宜間隔を保ってなされる。
該緩衝帯５は、落下時の衝撃を緩和するとともに、吊り上げられるときに該安全ベストＶを着衣した作業者の腋の下に当接し、該安全ベストＶが吊り上げによって抜け落ちることを防止するために設けられる。このため、該緩衝帯５の素材は、柔軟で衝撃緩和性があることが望ましく、また作業者を吊り上げるときに支持できるような強度を備えていることが必要である。緩衝帯５は、ベスト本体１の袖口１１に隣接して、前記袖口１１のほぼ直下に設けられており、引っ張り上げる場合にベスト本体１が通常の装着状態より上方に著しく移動しないようにしてある。
緩衝帯５は所定の幅及び厚さを採る。
【００１３】
連結部６（図１、図２参照）
連結部６は、剛性を有する金属体よりなり、支持ベルト４の三角形状の頂部に配され、該支持ベルト４を固定態様もしくは可動態様で把持するものであり、連結孔１６（通常には円孔）を有する。
また、ロープＲの先端の連結部１７にも同じく連結孔１８を有し、本安全ベストＶの連結部６の連結孔１６とロープＲの連結部１７の連結孔１８との間にシャックル１９を介装させて接続する。
なお、連結部６は剛性に限定されず、既述したように支持ベルト４をそのま利用した輪をもって形成してもよく、この場合は柔軟性をなす。
【００１４】
（本安全ベストＶの諸元）
本安全ベストＶの標準的寸法は、丈高が５５ｃｍ、横幅が４５ｃｍとされ、また横・縦・支持ベルトの幅は４ｃｍとされる。
更に、本安全ベストＶはその機能を十全に果たすため、次の諸元を採ることが推奨される。
袖口部１１の直径は、作業者が着脱し易いように、好ましくは２０〜３５ｃｍとされる。該袖口部１１が大きすぎると、引っ張り上げ時にベスト本体１が通常の装着状態より上方に著しく移動する事態を生じ、一方２０ｃｍより小さいと、装着が困難になる恐れがある。
支持ベルト４は、前記した三角形の空隙Ａの高さを、好ましくは３０〜６０ｃｍになるようにする。３０ｃｍ未満であると、救助すべき作業者Ｐを引き上げるときに、大きな力が必要になり、一方６０ｃｍを越えると、救助すべき作業者の首が前記空隙Ａに入り込む事態を生じる恐れがある。
緩衝帯５については、その幅は２０ｃｍを目安とし、その厚さは好ましくは１０ｍｍ〜２０ｍｍであるのがよい。１０ｍｍ未満であると、十分な衝撃緩和効果が得られない恐れがあり、また引っ張り上げて救助する場合に脇の下を痛める恐れがある。一方、２０ｍｍを越える場合には、作業時に邪魔になるおそれがある。
【００１５】
（本実施形態の作用）
本安全ベストＶは、人孔部内での作業において、人孔部に臨んで配された吊上げ・吊下げ装置を介して使用される。
図４はその一例を示し、Ｓはその吊上げ・吊下げ装置であって、下水道管渠Ｐへ通じる人孔Ｑ内での作業（特には救出作業）への適用を示す。図において、Ｔは人孔Ｑ内の足掛け、Ｗは下水道管渠Ｐ内の流水、Ｄは路面、Ｅは地盤を示す。  図に示すように、地上部において人孔Ｑの開口Ｏに臨んで本吊上げ・吊下げ装置Ｓが設置される。該吊上げ・吊下げ装置Ｓは少なくとも三脚部１００、該三脚部１００の脚部の１つに固定されるウインチ部１１０、該ウインチ部１１０の頂部に固定される滑車部１２０を備え、ロープＲはこのウインチ部１１０に巻き取り、巻き戻されて、滑車部１２０を介して本安全ベストＶの連結部６に連結される。
【００１６】
作業者Ｍは地上において、本安全ベストＶを着衣する。
すなわち、横ベルト２のバックル１３が開放された状態で、袖口部１１に腕を通して、前身頃１ａ，１ｂをファスナーで閉鎖し、しかる後、横ベルト２のバックル１３を閉めて、本安全ベルトＶを装着する。
次いで、支持ベルト４の頂部の連結部６を介して吊上げ・吊下げ装置Ｓの吊上げロープＲを接続する。
吊上げ・吊下げ装置Ｓのウインチ部１１０を巻取り・巻戻しによって、吊上げロープＲの長さが調節可能になっている。また、該ウインチ部１１０をロックすることによって、吊上げロープＲの長さは固定される。このようなウインチ部１１０の他、低速ではロープＲを繰り出し可能で、急速に引き出されようとしたときには該ロープＲの引き出しが停止されるリトラクタモータ（自動車の安全ベルトに使用されるようなモータ）を使用することができる。
なお、三脚部１００は必ずしも必要ではなく、吊上げロープＲを巻き取り、繰出可能なウインチ部１１０あるいはリトラクタモータを人孔Ｑ外の他の定着物に固定してもよい。しかしながら、人孔Ｑの開口Ｏの中央部から吊上げロープＲを吊り下げ可能な本三脚部１００及び滑車部１２０を使用する方が、容易に作業者Ｍを救出可能であることは言うまでもない。
【００１７】
吊上げ・吊下げ装置Ｓに設けられた吊上げロープＲに支持ベルト４を接続した後、作業者Ｍは人孔Ｑ内に足掛けＴを使用して降下する。このとき、地上の補助作業者はウインチ部１１０を操作し、一定の張力を保持し、ロープＲを巻き戻してゆく。この状態で作業者Ｍは人孔Ｑ内で所定の作業をなす、もしくは人孔Ｑの底部に到達する。
この作業中、作業者Ｍが足掛けＴより足を踏み外したときには、ウインチ１１０をロックし、前記吊上げロープＲをそれ以上繰り出されないように固定する。リトラクタモータを使用している場合には、急激なロープＲの引き出しにより自動的にロックされる。このとき作業者Ｍは縦ベルト３と支持ベルト４の二点で衝撃を受けるため、落下の衝撃は緩和され、かつ胴回りに緩衝帯５が備えられているので、これによっても落下衝撃は緩和される。
【００１８】
一方、下水道管渠Ｐ内で、事故などにより動けなくなった場合、あるいは人孔Ｑ内での落下事故で足掛けＴを登れない状態になった場合、人孔Ｑ外の作業補助者がウインチ部１１０を回転させて吊上げロープＲを巻き取ることにより、作業者Ｍを迅速に人孔Ｑ外へ救出できる。
すなわち、吊上げロープＲを巻き上げることにより、支持ベルト４が緊張し、縦ベルト３の肩部より作業者Ｍを吊り上げる。すなわち、作業者Ｍは肩部より吊り上げられることになり、人孔Ｑが狭くても容易に救出可能である。このとき、作業者Ｍの頭部は前方あるいは後方に倒れた状態となるが、支持ベルト４で構成される空隙Ａは該頭部が入り込まないように形成されているため、前記支持ベルト４によって、首部が圧迫されることはない。
また、吊り上げられる状態のとき、本安全ベストＶは上方に引っ張り上げられるが、横ベルト２によって、本安全ベストＶは作業者Ｍに固定され、かつ胴回りに設けられた緩衝帯５が作業者Ｍの脇の下を支持することになるため、作業者Ｍの重量によって本安全ベストＶが作業Ｍから抜け出ることはない。また袖口部１１の直径が所定値を採っているため、吊り下げ時の安全ベストＶの上方への移動は抑制されたものとなり、この点においても安全ベストＶの作業者Ｍからの抜出しは阻止される。
【００１９】
（本実施形態の効果）
上記のことから明らかなとおり、本実施形態の安全ベストＶによれば、その支持ベルト４は、人孔Ｑ外にいる作業補助者が、作業者Ｍの高さに対応してウィンチ部１１０より繰り出される吊上げロープＲに連結され、あるいは、例えば低速では吊上げロープＲを繰り出し可能で、急速に引き出されようとしたときには該ロープＲの引出しが停止されるリトラクタモータ（自動車の安全ベルトに使用されるようなモータ）に接続される。このため、作業者Ｍが足掛けＴを踏み外したときなどは、該支持ベルト４に接続される吊上げロープＲは、その高さに対応した長さに繰り出され固定されているため、衝撃は少ない。また、該支持ベルト４は２本の縦ベルト３の肩部分より伸長しているため、２点で衝撃を受けることになり、従来の１点で衝撃を受ける場合より格段に小さくなるという利点がある。更に、本安全ベストＶは所定の幅の緩衝帯５が設けてあるため、該緩衝帯５によって衝撃を更に緩和する。
更に、作業者Ｍが動けない場合には、人孔Ｑ外の作業補助者が該支持ベルト４に接続した吊上げロープＲを吊り上げることにより、作業者Ｍを迅速に人孔Ｑ外に引き上げることが可能である。このとき緩衝帯５は所定の広がりを有し、腋下の胴回りに設けられているため、安全ベストＶを着用した作業者Ｍを支持ベルト４により引っ張り上げる場合、該胴回りに設けられた緩衝帯５が作業者Ｍの腋の下に当接することになるため、引っ張りによって安全ベストＶが作業者Ｍより抜け落ちる必要がないという利点がある。
【００２０】
本発明は叙上の実施の形態にのみ限定されるものではなく、本発明の基本的技術思想の範囲内で種々設計変更が可能である。
【図面の簡単な説明】
【００２１】
【図１】本発明の安全ベストの一実施形態の正面図。
【図２】本安全ベストの背面図。
【図３】本安全ベストの内部の緩衝帯を示す斜視図。
【図４】本安全ベストの使用状態を説明する図。
【図５】従来の安全ベルトの使用状態を説明する図。
【符号の説明】
【００２２】
Ｖ…安全ベスト、  １…ベスト本体、１ａ，１ｂ…前身頃、１０…首部、１１…袖口部、２…横ベルト（２Ａ…上部横ベルト、２Ｂ…下部横ベルト）、３…縦ベルト（３Ａ…右縦ベルト、３Ｂ…左縦ベルト）、４…支持ベルト、５…緩衝帯、６…連結部、Ｑ…人孔、Ｔ…足掛け、Ｐ…下水道管渠、Ｓ…吊上げ吊下げ装置
【図１】
2008069477.tif 000003
【図２】
2008069477.tif 000004
【図３】
2008069477.tif 000005
【図４】
2008069477.tif 000006
【図５】
2008069477.tif 000007